(57)【要約】【課題】ジャムが発生した際にジャムの除去作業を容易にする画像形成装置を提供する。【解決手段】記録紙に画像を記録するプリンタ部２と画像を読み取るスキャナ部３との間の空間部を排紙部４とする画像形成装置１００に、記録紙が搬送される記録紙搬送路をジャム除去作業用として外部に露出可能とする開閉自在な搬送カバー５２をプリンタ部２の上面に備え、ジャムが発生して搬送カバー５２を開放した際に、排紙部４の側面部となる排紙カバー４２に配設した磁石１１及び／又は排紙部４の上面部となるスキャナ部３の下面部に配設した磁石１１′と搬送カバー５２上の板金１２及び／又は１２′とが当接して、ユーザが手で押さえることなく、磁力により搬送カバー５２の開放状態を維持可能とする。また、記録紙搬送路を形成する搬送ガイド板に切り欠き部を備えることにより、記録紙搬送路の内部状態を上面から視認可能とする。【選択図】図１
2006231684.tif 000002
【特許請求の範囲】
【請求項１】
記録紙に記録するプリンタ部の上部に、記録紙が搬送される記録紙搬送路を外部に露出可能とする開閉自在な搬送カバーを備えた画像記録装置において、記録紙のジャムが発生した場合、前記搬送カバーを開放した状態で固定維持することが可能な搬送カバーロック手段を備えていることを特徴とする画像形成装置。
【請求項２】
請求項１に記載の画像形成装置において、前記搬送カバーロック手段が、磁石を用いて構成されていることを特徴とする画像形成装置。
【請求項３】
記録紙に記録するプリンタ部の上部に、記録紙が搬送される記録紙搬送路を外部に露出可能とする開閉自在な搬送カバーを備えた画像記録装置において、前記搬送カバーを開放した際に前記記録紙搬送路の状況を視認できるように、前記記録紙搬送路を形成する搬送ガイド板に切り欠き部を備えていることを特徴とする画像形成装置。
【請求項４】
請求項３に記載の画像形成装置において、前記搬送ガイド板に備える切り欠き部が、予め定めた所定の間隔で複数個配設されていることを特徴とする画像形成装置。
【請求項５】
記録紙に記録するプリンタ部の上部に、記録紙が搬送される記録紙搬送路を外部に露出可能とする開閉自在な搬送カバーを備えた画像記録装置において、前記搬送カバーを開放した後、前記記録紙搬送路を収納する搬送路部を開放する場合、複数段階の開放角度で前記搬送路部を開放維持することができる搬送路部ロック手段を備えていることを特徴とする画像形成装置。
【請求項６】
請求項５に記載の画像形成装置において、前記搬送路部ロック手段が、長さが異なる複数種類の支持部と該支持部のいずれかを嵌入して固定するストッパ孔とを用いて構成されていることを特徴とする画像形成装置。
【発明の詳細な説明】
【技術分野】
【０００１】
本発明は、画像形成装置に関し、更に詳しく言えば、プリンタ部（画像形成部）の上部に記録済みの記録紙をスタックする排紙部を備え、その排紙部の上部にスキャナ部（画像読取部）を備えている画像形成装置に関し、特に、ジャム（紙詰まり）が発生した際にジャムした記録紙を除去する作業を容易にする画像形成装置に関するものである。
【背景技術】
【０００２】
従来の画像形成装置においては、例えば、特許文献１に示す特開２００２−１５４７０５号公報「画像形成装置」にも記載されているが、図７、図８に示すように、記録紙上に画像を形成するプリンタ部２の上部に、コンタクトガラス上にセットした原稿の画像を読み取るスキャナ部３を配置し、更に、そのプリンタ部２とスキャナ部３との間の空間部に、プリンタ部２で画像が形成された後の記録紙を排紙してスタックする排紙部４を配設することにより、排紙部４が装置本体の側面から突出しないようにしたものがある。
【０００３】
ここに、図７は、前述のような構造を有する従来の画像形成装置の外観を示す斜視図であり、図８は、図７に示す従来の画像形成装置２００のカバーを開放した状態を示す斜視図であり、インクジェット方式の画像形成装置を示している。図７に示す装置前面に設けられた前カバー５１は、各色インクカートリッジ３５を交換する際に開放する中折れ式のカバーであり、図８に示すように、前カバー５１を開放すると、各色インクカートリッジ３５が現れる。
【０００４】
また、図７に示すように、搬送カバー５２は、プリンタ部２と排紙部４とを仕切るためのカバーであり、排紙トレイの一部を構成している。搬送カバー５２を開放すると、図８に示すように、記録済みの記録紙を排紙部４へ搬送する記録紙搬送路へアクセスすることができ、該記録紙搬送路でジャム（紙詰まり）が発生した場合、搬送カバー５２を開放してジャム処理を行なうことができる。言い換えると、搬送カバー５２は、ジャム除去用として、記録紙搬送路を外部に露出可能とする開閉自在のカバーである。なお、排紙部４の狭い空間部に搬送カバー５２を開放する際に、開放した搬送カバー５２が該空間部に収まるように、図８に示すように、搬送カバー５２を複数の支点で折り曲げるようにして開放する。しかる後、該記録紙搬送路を収納している搬送路部を所定位置まで開放移動して、ジャム発生箇所の記録紙を除去する。
【０００５】
そして、図８に示すように、サイドカバー５３を開放すると、給紙部に載置した記録紙を画像形成部へ給紙するまでの記録紙搬送路へアクセスすることができ、この部分でジャムが発生した場合は、該サイドカバー５３を開放してジャム処理を行なうことができる。
【０００６】
図９は、図７、図８に示す従来の画像形成装置２００の内部構成を示す断面図である。図９に示す画像形成装置２００において、プリンタ部２では、用紙カセット２２に収納されている記録紙１を給紙手段２３等により記録紙搬送路２４を介してプリントジェットエンジン２０に１枚ずつ給紙する。インクジェットエンジン２０は、例えば静電吸着ベルト２７を用いた用紙搬送システムを採用し、静電吸着ベルト２７により搬送されてきた記録紙１上に、主走査方向（図９の図面に垂直な方向）に往復移動するキャリッジ２８に搭載された印字ヘッド２９を駆動して転写記録する。
【０００７】
しかる後、記録紙搬送路２４を経由して、記録済みの記録紙１を排紙ローラ４０により排紙部４の排紙トレイ４１上に排出してスタックする。ここで、給紙手段２３から排紙ローラ４０に至るまでの記録紙搬送路２４は、図９に示すように、S字形状に形成され、搬送ガイド板２５や搬送ローラ２６（あるいは、図示していない、反転搬送ローラなど）の構成部材が所定個所に適宜設置され、記録紙１を所定の方向に搬送するように構成している。
【特許文献１】特開２００２−１５４７０５号公報
【発明の開示】
【発明が解決しようとする課題】
【０００８】
しかしながら、プリンタ部２とスキャナ部３との間に排紙部４を備える図７乃至図９に示すような構成からなる従来の画像形成装置２００においては、画像形成用のインクジェットエンジン２０から排紙ローラ４０に至るまでの記録紙搬送路２４上でジャム（紙詰まり）が発生した場合に、図８に示すように、排紙部４の狭い空間部に、搬送カバー５１を複数の支点で折り曲げるようにして開放するが、この時、通常、開放状態の搬送カバー５２を、何ら支えることなしに、前記空間部に安定して維持することができない。
【０００９】
このため、ユーザは片手で開放状態の搬送カバー５２を保持したまま、もう一方の手で記録紙搬送路２４のジャム除去処理を行なうことを要求される場合が多い。その結果として、ジャム除去作業を両手作業とすることができないため、ジャムした記録紙を容易には取り除くことができず、面倒かつ時間を要する作業となる。
【００１０】
また、搬送カバー５２を開放した後でも、搬送カバー５２を開放した上部から記録紙搬送路２４を眺めても、記録紙搬送路２４を形成する搬送ガイド板２５等の影にジャム（紙詰まり）した記録紙が隠れてしまうこともあり、ジャム発生場所を探すのが難しいという問題も生じる。
【００１１】
更には、記録紙搬送路２４上のジャム発生箇所の如何によっては、記録紙搬送路２４を収納している搬送路部の空間部への開放角度が狭い場合でも、ジャム発生箇所まで手を入れることが可能であるにも関わらず、該搬送路部が全開状態となる空間部の所定位置まで大きく開放移動して固定しない限り、ジャム除去作業ができなく、搬送路部の開放作業量が大きく負担になるという問題も生じる。
【００１２】
本発明は、プリンタ部とスキャナ部との間に排紙部を備える構成の従来の画像形成装置における前述のような問題を解決し、搬送カバーの開放状態を安定維持することを可能とし、もって、両手でジャムした記録紙を取り除く作業をすることができる画像形成装置を提供することを課題とする。
【００１３】
また、本発明は、搬送ガイド板等の影に記録紙が隠れないような構造とし、もって、ジャム発生箇所を容易に検出可能とすることを課題とする。
【００１４】
更には、本発明は、記録紙搬送路を収納する搬送路部が排紙部の空間部へ開放する際に、複数の開放角度で開放固定することを可能とし、もって、ジャム発生箇所に応じた必要最小限の開放角度まで開放移動した状態で固定可能とすることを課題とする。
【課題を解決するための手段】
【００１５】
第１の技術手段は、記録紙に記録するプリンタ部の上部に、記録紙が搬送される記録紙搬送路を外部に露出可能とする開閉自在な搬送カバーを備えた画像記録装置において、記録紙のジャムが発生した場合、前記搬送カバーを開放した状態で固定維持することが可能な搬送カバーロック手段を備えていることを特徴とする。
【００１６】
第２の技術手段は、前記第１の技術手段に記載の画像形成装置において、前記搬送カバーロック手段が、磁石を用いて構成されていることを特徴とする。
【００１７】
第３の技術手段は、記録紙に記録するプリンタ部の上部に、記録紙が搬送される記録紙搬送路を外部に露出可能とする開閉自在な搬送カバーを備えた画像記録装置において、前記搬送カバーを開放した際に前記記録紙搬送路の状況を視認できるように、前記記録紙搬送路を形成する搬送ガイド板に切り欠き部を備えていることを特徴とする。
【００１８】
第４の技術手段は、前記第３の技術手段に記載の画像形成装置において、前記搬送ガイド板に備える切り欠き部が、予め定めた所定の間隔で複数個配設されていることを特徴とする。
【００１９】
第５の技術手段は、記録紙に記録するプリンタ部の上部に、記録紙が搬送される記録紙搬送路を外部に露出可能とする開閉自在な搬送カバーを備えた画像記録装置において、前記搬送カバーを開放した後、前記記録紙搬送路を収納する搬送路部を開放する場合、複数段階の開放角度で前記搬送路部を開放維持することができる搬送路部ロック手段を備えていることを特徴とする。
【００２０】
第６の技術手段は、前記第５の技術手段に記載の画像形成装置において、前記搬送路部ロック手段が、長さが異なる複数種類の支持部と該支持部のいずれかを嵌入して固定するストッパ孔とを用いて構成されていることを特徴とする。
【発明の効果】
【００２１】
以上のごとき技術手段から構成される本発明に係る画像形成装置によれば、以下のような効果が得られる。
即ち、たとえ、プリンタ部とスキャナ部との間の狭い空間部に排紙部を備えるような構成であっても、搬送カバー（言い換えるとジャム除去カバー）を開放状態に安定して維持固定することを可能としているので、ジャム除去作業を実施する際に、両手作業をすることができ、操作性や作業効率の向上を図ることができる。
【００２２】
また、記録紙搬送路を形成する搬送ガイド板の一部を切り欠くことにより、搬送カバーを開放した際に、記録紙搬送路の中の状況を外から見透かすことが可能であり、ジャム処理箇所を素早く特定することができ、ジャム除去作業の効率を向上させることができる。
【００２３】
更に、搬送カバーを開放状態にしてジャムの除去作業を行なう際に、記録紙搬送路を収納している搬送路部を、複数段階に分けて各種の開放角度で開放して維持固定することを可能としているので、ジャム発生箇所に応じて、ジャム除去作業に必要な開放角度だけ開放移動すれば良く、少ない操作で、素早く両手作業をすることができ、操作性や作業効率の向上を図ることができる。
【発明を実施するための最良の形態】
【００２４】
以下に、本発明に係る画像形成装置に関する実施形態について、図面を参照しながら説明する。なお、以下の説明においては、本発明に係る画像形成装置の一例として、従来技術として図７乃至図９に示したようなインクジェット記録装置の場合を例に取って説明するが、本発明に係る画像形成装置は、かかる場合のみに限るものではなく、インクジェット方式以外の如何なる記録方式の記録装置であっても良いし、コピー機能のみならず、プリンタ機能及びＦＡＸ機能を備えた複合機として構成したものであっても良い。
【００２５】
図１は、本発明に係る画像形成装置の外観の一例を示す斜視図であり、図２は、図１に示す本発明に係る画像形成装置１００のカバーを開放した状態の一例を示す斜視図であり、従来技術として説明した図７と図８とにそれぞれ対応している。また、図３は、図１に示す本発明に係る画像形成装置１００の内部構成の一例を示す断面図であり、従来技術として説明した図９に対応している。図１乃至図３の各ブロックに付した符号のうち、図７乃至図９の各ブロックと同一の機能を有するブロックについては、同一の符号を付して、以下の詳細な説明は省略する。
【００２６】
図１に示す画像形成装置１００においても、図７の場合と同様に、記録紙上に画像を形成するプリンタ部２と、コンタクトガラス上にセットした原稿の画像を読み取るスキャナ部３との間の空間部に、プリンタ部２で記録済みの記録紙を排紙してスタックする排紙部４を配設することにより、排紙部４が装置本体の側面から突出しないようにしている。
【００２７】
また、図１に示す装置前面に設けられた中折れ式の前カバー５１は、図７の場合と同様であり、前カバー５１を開放すると、図２に示すように、各色インクカートリッジ３５が現れ、色インクカートッジを交換することができる。
【００２８】
また、図１に示す搬送カバー５２は、図７の場合と同様であり、プリンタ部２と排紙部４とを仕切って、図３に示す排紙トレイ４１の一部を構成している。搬送カバー５２を開放すると、記録済みの記録紙を排紙部４へ搬送する記録紙搬送路へアクセスすることができ、該記録紙搬送路でジャム（紙詰まり）が発生した場合、搬送カバー５２を開放してジャム処理を行なうことができる。言い換えると、搬送カバー５２は、ジャム除去用として、記録紙搬送路を上部（外部）に露出可能とする開閉自在のカバーである。なお、排紙部４の狭い空間部に搬送カバー５２を開放する際に、開放した搬送カバー５２が該空間部に収まるように、図２に示すように、搬送カバー５２を複数の支点で折り曲げるようにして開放する。
【００２９】
ここで、本発明に係る画像形成装置１００は、従来技術の図７の場合とは異なり、図１に示すように、排紙部４の側面を形成する排紙カバー４２（即ち記録紙の排紙部４への排紙口を備えた排紙カバー４２）の所定位置に磁石１１を、及び／又は、排紙部４の天井面を形成するスキャナ部２の裏面部の所定位置に磁石１１′を配設すると共に、搬送カバー５２を開放状態にした際に、磁石１１及び／又は磁石１１′と当接する搬送カバー５２上のそれぞれの位置に、磁石１１及び／又は磁石１１′に磁力によりそれぞれ吸着する板金１２及び／又は板金１２′を配設している。
【００３０】
この結果、図２に示すように、排紙部４の狭い空間部に搬送カバー５２を開放した際に、搬送カバー５２上の板金１２，１２′が、それぞれ、排紙部４の側面及び天井面に配設された磁石１１，１１′に当接して、磁力により互いに吸着され、搬送カバー５２の開放作業をしたユーザが手を離しても、排紙部４の空間部に開放状態の搬送カバー５２をそのまま安定して維持固定することを可能としている。而して、ジャム除去作業を実施する際に、ユーザは片手で開放状態の搬送カバー５２を保持したまま、もう一方の手で記録紙搬送路２４のジャム除去処理を行なわざるを得ない状況はなくなり、ユーザは両手作業をすることができ、操作性や作業効率の向上を図ることができる。
【００３１】
なお、図１には、開放状態の搬送カバー５２を安定して維持固定する搬送カバーロック手段として、磁石１１，１１′と板金１２，１２′との２個ずつを用いる例を示したが、磁力の大きさ如何により、１乃至複数の任意の個数の磁石と板金とを用いるようにしても良く、また、それぞれの配設場所を入れ替えて、搬送カバー５２上に磁石、排紙部４の側面及び天井面に板金を配設するようにしても構わない。
【００３２】
また、開放状態の搬送カバー５２を安定して維持固定する搬送カバーロック手段としては、磁石による磁力を用いて固定する方法以外に、如何なる手段を用いても良い。例えば、L字形状の引掛け具を保持孔に嵌合するようにしても良いし、中折れ式の腕木を用いて搬送カバー５２を開放しても良いし、バネを用いて搬送カバー５２を排紙部４の側面及び天井面に向かって跳ね上げるようにしても良い。
【００３３】
ここで、図３の断面図に示すように、本発明に係る画像形成装置１００も、従来技術として説明した図９の場合と全く同様の内部構成とされており、プリンタ部２の下方には、給紙部２１を配置し、その上部にインクジェットエンジン２０などが配置されている。給紙部２１では、記録紙１を収納する用紙カセット２２や、その用紙カセット２２からインクジェットエンジン２０へ記録紙１を１枚ずつ給紙するための給紙手段２３等が設けられている
【００３４】
インクジェットエンジン２０は、例えば静電吸着ベルト２７により搬送されてきた記録紙１上に、主走査方向（図３の図面に垂直な方向）に往復移動するキャリッジ２８に搭載された印字ヘッド２９を駆動して転写記録する。
【００３５】
しかる後、記録紙搬送路２４を経由して、記録済みの記録紙１を排紙ローラ４０により排紙部４の排紙トレイ４１上に排出してスタックする。ここで、の給紙手段２３から排紙ローラ４０に至るまでの記録紙搬送路２４は、図９の場合と同様に、S字形状に形成され、搬送ガイド板２５や搬送ローラ２６（あるいは、図示していない、反転搬送ローラなど）の構成部材が所定個所に適宜設置され、搬送ガイド板２５や搬送ローラ２６の働きにより、記録済みとされた記録紙１を所定の方向に搬送するように構成している。
【００３６】
このように、記録紙１を搬送する記録紙搬送路２４に、搬送ガイド板２５や搬送ローラ２６などを用いているが、搬送ガイド板２５や搬送ローラ２６などは不透明の材質で構成されており、たとえジャムが発生したとしても、ジャム発生箇所の如何によっては、搬送カバー５２を開放状態にして、上部から記録紙搬送路２４を眺めても、ジャム発生箇所を容易には視認することができない場合もある。
【００３７】
このため、本発明に係る画像形成装置１００においては、図４に示すように、搬送カバー５２を開放状態にした上部から記録紙搬送路２４のジャム発生箇所を容易に視認できるように、例えば、搬送ガイド板２５上に予め定めた所定の適当な間隔で複数個の切り欠き部１３を備えるように構成している。ここに、図４は、図１に示す本発明に係る画像形成装置１００の搬送ガイド板２５に切り欠き部を備えている一例を示す斜視図である。
【００３８】
なお、搬送ガイド板２５上に配置する切り欠き部１３は、搬送ガイド板２５上の例えば主走査方向に記録紙１の用紙サイズを勘案した適当な間隔で配設すれば良く、切り欠き部１３のサイズも、搬送カバー５２を開放状態にしたプリンタ部２の上面から、当該搬送ガイド板２５近傍の状況をそれぞれ視認でき、記録紙搬送路２４の全体の状況を見通して把握することができるサイズであれば如何なるサイズであっても良い。また、図４の実施例においては、搬送ガイド板２５の主走査方向に切り欠いた切り欠き部２５を備える場合を示したが、搬送ガイド板２５上の主走査方向のみならず副走査方向に切り欠いた切り欠き部としても良いし、搬送ガイド板２５の材質を耐久性があり透明性が高い材質を用いるようにしても良い。
【００３９】
この結果、搬送カバー５２を開放したプリンタ部２の上面から記録紙搬送路２４を眺めれば、搬送ガイド板２５等の影にジャムした記録紙が隠れてしまうこともなく、記録紙搬送路２４の中の状況を外から見透かすことが可能であり、ジャム発生箇所を素早く特定することができ、ジャム除去作業の効率が良くなる。
【００４０】
搬送ガイド板２５上に適切な間隔で備えられた図４に示す切り欠き部１３を通して、ジャム発生箇所を検出した場合、ユーザは、搬送カバー５２を開放状態にした後、該記録紙搬送路２４を収納した搬送路部２４Ａを、図５に示すように、図４の左上側方向に（即ち反時計方向に）、所定の固定位置まで回転移動して、記録紙搬送路２４のジャム発生箇所を露出させて、ジャムした記録紙を除去する作業を行なうことになる。ここに、図５は、図１に示す本発明に係る画像形成装置１００の搬送カバー５２と搬送路部２４Ａとを開放した状態の一例を示す斜視図である。
【００４１】
図５においては、搬送路部２４Ａを所定の開放角度まで全開するように回転移動させている場合を示しているが、記録紙搬送路２４Ａ上のジャム発生箇所が、搬送路部２４Ａを全開するまで大きく回転移動しなくても、ジャムした記録紙を除去できる場合も存在する。
【００４２】
そのため、例えば、図６に例示するように、搬送路部２４Ａの所定の位置に一端を固定した複数個（図６では、２個）の支持部１４，１４′（それぞれの長さは異なる）を備えておき、記録紙搬送路２４Ａを少し開放すれば、ジャム発生箇所に手が届く場合は、長さが短い支持部１４の他端を、プリンタ部２の上面に穿設されているストッパ孔１５に嵌入することにより、搬送路部２４Ａをより少ない開放角度で固定保持する。
【００４３】
一方、記録紙搬送路２４Ａを大きく開放しなければ、ジャム発生箇所に手が届かない場合には、長さが長い支持部１４′を用いて、ストッパ孔１５に嵌入することにより、搬送路部２４Ａをより大きい開放角度で固定保持するようにするように構成することもできる。ここに、図６は、図１に示す本発明に係る画像形成装置１００の搬送路部２４Ａの開放角度を複数段階で固定保持可能とする一例を説明するための斜視図である。
【００４４】
なお、搬送路部２４Ａを複数段階の開放角度で安定して維持固定する搬送路部ロック手段としては、前述のような搬送路部２４Ａに備えた複数種類の長さの支持部１４，１４′のいずれかをストッパ孔１５に嵌入して固定する方法以外に、如何なる手段を用いても構わない。例えば、支持部とストッパ孔との配置を搬送路部２４Ａとプリンタ部２の上面とで交換して配設にしても良いし、あるいは、段差形状の突起部に一定の長さの突っ張り棒を当接させて複数段階の開放角度で固定保持するようにしても良いし、長さが異なる複数種類の中折れ式の腕木を用いても良い。
【００４５】
この結果、搬送カバー５２を開放したプリンタ部２の上面から記録紙搬送路２４を眺めてジャム発生箇所を特定し、ジャム除去作業を行なう場合、記録紙搬送路２４を収納する搬送路部２４Ａを全開状態になるまで開放移動しなくても、そのジャム発生箇所の如何に応じて、搬送路部２４Ａを必要最小限の開放角度まで開放移動させて固定維持することが可能となり、少ない操作で、素早く両手作業をすることができ、ジャム除去作業の操作性や効率が良くなる。
【図面の簡単な説明】
【００４６】
【図１】本発明に係る画像形成装置の外観の一例を示す斜視図である。
【図２】図１に示す本発明に係る画像形成装置の搬送カバーを開放した状態の一例を示す斜視図である。
【図３】図１に示す本発明に係る画像形成装置の搬送ガイド板に切り欠き部を備えている一例を示す斜視図である。
【図４】図１に示す本発明に係る画像形成装置の搬送ガイド板に切り欠き部を備えている一例を示す斜視図である。
【図５】図１に示す本発明に係る画像形成装置の搬送カバーと搬送路部とを開放した状態の一例を示す斜視図である。
【図６】図１に示す本発明に係る画像形成装置の搬送路部の開放角度を複数段階で固定保持可能とする一例を説明するための斜視図である。
【図７】従来の画像形成装置の外観を示す斜視図である。
【図８】従来の画像形成装置のカバーを開放した状態を示す斜視図である。
【図９】従来の画像形成装置の内部構成を示す断面図である。
【符号の説明】
【００４７】
１…記録紙、２…プリンタ部、３…スキャナ部、４…排紙部、１１，１１′…磁石、１２，１２′…板金、１３…切り欠き部、１４，１４′…支持部、１５…ストッパ孔、２０…インクジェットエンジン、２１…給紙部、２２…用紙カセット、２３…給紙手段、２４…記録紙搬送路、２４Ａ…搬送路部、２５…搬送ガイド板、２６…搬送ローラ、２７…静電吸着ベルト、２８…キャリッジ、２９…印字ヘッド、３５…インクカートリッジ、４０…排紙ローラ、４１…排紙トレイ、４２…排紙カバー、５１…前カバー、５２…搬送カバー、５３…サイドカバー、１００，２００…画像形成装置。
【図１】
2006231684.tif 000003
【図２】
2006231684.tif 000004
【図３】
2006231684.tif 000005
【図４】
2006231684.tif 000006
【図５】
2006231684.tif 000007
【図６】
2006231684.tif 000008
【図７】
2006231684.tif 000009
【図８】
2006231684.tif 000010
【図９】
2006231684.tif 000011